(57)【要約】      （修正有）【課題】タッチパネル表面へ細線を設けた汚れ防止構造において、ドットマトリックス方式の表示装置へ適用した場合に発生する干渉縞を抑制する。【解決手段】タッチパネルの操作表面へ該表面と並走する細線を具備し、該細線の該タッチパネル表面と平行方向の線幅寸法はドットマトリックス表示装置のドットサイズの１／３未満であり、該表示装置の可視面上において該細線が遮光しない開口部分の面積と、前記可視面の面積との比で表される開口率が６０％以上であるとともに、前記表示装置のドット配列と前記細線の配列との間で生じる干渉縞を低減するために、該細線の形状が折れ線または曲線である。【選択図】図１
2015022744.tif 000002
【特許請求の範囲】
【請求項１】
ドットマトリックス方式の表示装置と一体と成したタッチパネル表面へ、指紋、皮脂等の汚れが付着することを防止する汚れ防止構造であって、タッチパネルの操作表面へ該表面と並走する細線を具備し、該細線の該タッチパネル表面と平行方向の線幅寸法は前記ドットマトリックス表示装置のドットサイズの１／３未満であり、該表示装置の可視面上において該細線が遮光しない開口部分の面積と、前記可視面の面積との比で表される開口率が６０％以上であるとともに、前記表示装置のドット配列と前記細線の配列との間で生じる干渉縞を低減するために、該細線の形状が折れ線または曲線であることを特徴とするタッチパネルの汚れ防止構造。
【請求項２】
前記細線は、光透過性基材の表面へ印刷形成されたことを特徴とする請求項１に記載のタッチパネル汚れ防止構造。
【請求項３】
前記細線は、光透過性基材の表面へ形成された金属材料であることを特徴とする請求項１に記載のタッチパネル汚れ防止構造。
【請求項４】
前記細線は、所定間隔で除去された破線形状を成す金属材料であることを特徴とする請求項３に記載のタッチパネル汚れ防止構造。
【請求項５】
前記細線は、光透過性基材の表面へ形成された極細繊維材料であることを特徴とする請求項１に記載のタッチパネル汚れ防止構造
【請求項６】
前記細線は、略黒色であることを特徴とする請求項１乃至５のいずれか１項に記載のタッチパネル汚れ防止構造。
【請求項７】
前記細線は、該細線の表面がアンチグレア処理された略透明色であることを特徴とする請求項１、請求項２、請求項５のいずれか１項に記載のタッチパネル汚れ防止構造。
【請求項８】
前記細線が前記タッチパネルの可視面上に成す高さ寸法によって、該表示装置の可視角を制限して覗き見防止機能を持たせたことを特徴とする請求項１乃至７のいずれか１項に記載のタッチパネル汚れ防止構造。
【請求項９】
前記細線を光透過性樹脂フィルムの表面へ形成するとともに、該光透過性樹脂フィルムの裏面へ剥離可能となした粘着剤を塗布した、請求項１乃至８のいずれか１項記載の構造を具備してなるタッチパネルの指紋汚れ防止フィルム。
【請求項１０】
光透過性樹脂フィルムの表面へ、該樹脂フィルムと一体成型した細線を具備したことを特徴とする請求項１、請求項６、請求項７、請求項８のいずれか１項記載の構造を具備してなるタッチパネルの指紋汚れ防止フィルム。
【発明の詳細な説明】
【技術分野】
【０００１】  本発明は、ドットマトリックス方式の表示装置と一体と成したタッチパネル表面へ、指紋、皮脂等の汚れが付着することを防止するタッチパネルの汚れ防止構造と、かかる汚れ防止構造によって製作した指紋汚れ防止フィルムとに関する。
【背景技術】
【０００２】  液晶或いは有機ＥＬ等の公知のドットマトリックス方式からなる表示装置と公知のタッチパネルとを組み合わせた操作機器は、操作画面を任意に設定可能であることから従来の機械式スイッチ装置と比較した場合に、直感的な操作が可能であり複雑な機能を持つ機器を容易に操作できるという特徴から、優れたＨＭＩ（ヒューマン・マシン・インターフェース）として広く普及している。【０００３】  かかるタッチパネルの操作検出用センサーとしては、操作する指の押圧力を感知して前記表示装置上の押圧箇所を特定して操作位置座標として検出する方式と、該表示装置表面に具備したマトリックス形状のＸ−Ｙ透明電極対が成す静電容量の値を電気的に検出することによって操作指の位置を特定するもの、或いは該表示装置の対辺に設置したＬＥＤと受光素子とによって操作指位置を検出する等の技術が公知となっているが、いずれの方式もタッチパネル表面へ操作指が接触することを前提にして機能するようになっている。【０００４】  また前記タッチパネルは、前記表示装置とは独立に形成して、該表示装置表面へ貼り付けたもの、又は該表示装置を構成する画素内部へ一体的に構成したもの（インセル方式）とがある。【０００５】  前記表示装置とは独立して形成されたタッチパネル、又は前記一体式のタッチパネルのいずれにおいても、操作入力時にタッチパネル表面を直接指で操作することから、該タッチパネル表面に指紋や皮脂汚れが付着して該表示装置の見栄えが悪化することは避けられない。さらに、タッチパネルを具備しない単なる液晶表示装置等においても、特に小型の携帯情報端末においては、該液晶表示装置表面に容易に指が触れることに起因して、同様に指紋及び皮脂汚れが問題になることが知られている。【０００６】  上記問題を解決する為にタッチパネルの表面へ黒色細線を配置することによって、操作指が直接タッチパネル面に触れることを防止して指紋の付着を低減する技術が提案されている。
【先行技術文献】
【０００７】
【特許文献１】  実願昭６３−１１６６７５号公報
【特許文献２】  実願昭６１−１７２３８８号公報
【発明の概要】
【発明が解決しようとする課題】
【０００８】  しかしながら、特許文献１、特許文献２ともにタッチパネルを構成するガラスの表面へ黒色の細線を配設すること、及びそれによって指紋跡が見え難くなる点が開示されているものの、該細線を表示装置へ装着することによる視認性の課題と解決方法に関しては何の示唆も開示もされていない。【０００９】  ところで、一般的に特定の配置間隔（位置周期）で配置された線状のパターンＡと該パターンＡと近似して僅かに差を持つ配置間隔によって描画された線状のパターンＢとが重なる場合に、本来は存在しない縞模様が干渉縞として生じることが知られている。具体的には例えば図６（ａ）の例において、所定位置周期で配置した細線から成るパターンＡと、該パターンＡと僅かにピッチの異なる細線から成るパターンＢとを重ねた場合には周期Ｐの縞模様を生じることが判る。
別の例では、図６（ｂ）の如く所定ピッチで描画された線によるパターンＣとパターンＤとを任意の角度で重ねた場合に、本来はあり得ない縦縞の模様が干渉縞として現れる。【００１０】  同様に、ドットマトリックス方式の表示装置は極小の表示画素をマトリックス状に配置構成したものであるから、該表示画素は該表示装置上へ等間隔で位置周期性を備えた所定のピッチで配置される。従って、この種の表示装置表面上へ所定ピッチで配列せしめて位置周期性を具備した遮光性の細線を貼り付けると、図７に示す如き縞模様が干渉縞として発生する。
図７は、パソコンの液晶画面において白背景に黒文字表示した画面上へ太さ２５ｕｍの細線が直交した遮光性メッシュを貼りつけた場合の写真画像であり、該直交したメッシュの配列を前記液晶画面のマトリックス配列と一致した方向と成して貼り付けた状態を示している。このように、本来は白一色であるはずの背景色に縞模様が発生しているのが判る。【００１１】  さらに、前記静電容量の値を電気的に検出する方式のタッチパネルにおいては前記Ｘ−Ｙ電極と指先との間へ前記細線を挟むことによって、該Ｘ−Ｙ電極と指先との間隔が増大して検出される静電容量の感度が低下する場合がある。この点において特許文献２では誘電性細線を採用することで該感度の低下が無いとしているが、一般的に誘電性樹脂材料の比誘電率は２程度と小さいので、感度低下は免れない。【００１２】  本発明は、上記の課題に鑑みてなされたものであり、ドットマトリックス方式の表示装置上へ細線を具備した汚れ防止構造において該ドットマトリックスの画素配置の位置周期性と、該細線の配置が持つ位置周期性との間で発生する干渉縞が発生することを防止し、さらに静電容量式タッチパネルに使用しても感度低下の無い汚れ防止構造を提案するとともに、後付け用として前記表示装置表面へ貼り付け可能な指紋汚れ防止フィルムを提供することを目的とする。
【課題を解決するための手段】
【００１３】  本発明のタッチパネル汚れ防止構造は、タッチパネルの操作表面へ該表面と並走する細線を具備し、該細線の該タッチパネル表面と平行方向の線幅寸法は前記ドットマトリックス表示装置のドットサイズの１／３未満であり、該細線の開口率（細線によって遮光されない部分、即ち開口部の面積と前記表示装置の可視面の面積との比率）を６０％以上とするとともに、該細線の形状を折れ線または曲線とした。【００１４】  本発明のタッチパネル汚れ防止構造の一態様においては、光透過性基材の表面へ印刷形成された細線を具備して構成される。【００１５】  本発明のタッチパネル汚れ防構造の一態様においては、光透過性基材の表面へ形成された金属材料から成る細線を具備して構成される。【００１６】  本発明のタッチパネル汚れ防構造の一態様においては、所定間隔で除去された破線形状を成す前記金属材料から成る細線を具備して構成される。【００１７】  本発明のタッチパネル汚れ防構造の一態様においては、光透過性基材の表面へ形成された極細繊維材料からなる細線を具備して構成される。【００１８】  本発明のタッチパネル汚れ防構造の一態様においては、略黒色の細線を具備して構成される。【００１９】  本発明のタッチパネル汚れ防構造の一態様においては、表面がアンチグレア処理された略透明色の細線を具備して構成される。【００２０】  本発明のタッチパネル汚れ防構造の一態様においては、前記細線が前記表示装置の可視面上に成す高さ寸法によって、該表示装置の可視角を制限して公知の覗き見防止機能を持たせるが如く構成される。【００２１】  本発明のタッチパネルの汚れ防止構造の一態様においては、光透過性樹脂フィルムの表面へ前記細線を形成するとともに、該光透過性樹脂フィルムの裏面へ剥離可能となした粘着剤を塗布した指紋汚れ防止フィルムとして構成される。【００２２】  本発明のタッチパネルの汚れ防止構造の一態様においては、光透過性樹脂フィルムの表面へ、該樹脂フィルムと一体成型した細線を具備する。
【発明の効果】
【００２３】  本発明のタッチパネル汚れ防止構造によれば、タッチパネルの操作表面へ該操作表面と並走する細線を具備し、該細線の線幅をドットマトリックス方式の表示装置におけるドットサイズの１／３未満として、該細線の開口率（細線によって遮光されない部分、即ち開口部の面積と前記表示装置の可視面の面積との比率）を６０％以上とするとともに、該細線を折れ線または曲線として配置したから、直交配置される前記ドットマトリックス配列と該細線との間で干渉縞を生じることが無く、また前記表示装置の表示輝度の低下が少ない。しかるに、該細線によって操作指が直接タッチパネル面へ触れることを無くして指紋汚れを防止すると同時に干渉縞と輝度低下による表示品質の劣化が無いタッチパネル汚れ防止構造が実現できる。【００２４】  また、本発明のタッチパネル汚れ防止構造によれば、前記細線を光透過性基材の表面へ印刷形成するものとしたから、安価に大量生産可能な構造となる。【００２５】  また、本発明のタッチパネル汚れ防止構造によれば、前記細線は金属材料であるとしたから、静電容量式タッチパネルにおける操作感度の低下を起こさない。【００２６】  また、本発明のタッチパネル汚れ防止構造によれば、前記細線は所定間隔で除去された破線形状を成す金属材料であるとしたから、静電容量式タッチパネルに採用しても指先接触位置の誤検出を起こすことが無い。【００２７】  また、本発明のタッチパネル汚れ防止構造によれば、前記細線は光透過性基材の表面へ形成された極細繊維材料であるとしたから、強度の高い細線構造を安価に実現することができる。【００２８】  また、本発明のタッチパネル汚れ防止構造によれば、前記細線は略黒色であるとしたから前記表示装置表面において、該細線が外光を反射して表示が見え難くなると言った問題が無い。【００２９】  また、本発明のタッチパネル汚れ防止構造によれば、前記細線は公知のアンチグレア処理された略透明色であるとしたから前記表示装置表面において、該細線が外光を反射して表示が見え難くなると言った問題が無い。【００３０】  また、本発明のタッチパネル汚れ防止構造によれば前記細線が、前記タッチパネルの可視面上に成す高さ寸法によって、該表示装置の可視角を制限できるから、公知の覗き見防止機能を容易に実現することができる。【００３１】  また、本発明の指紋汚れ防止フィルムによれば、光透過性樹脂フィルムの表面へ前記細線を形成するとともに、該光透過性樹脂フィルムの裏面へ剥離可能となした粘着剤を塗布したから、スマートフォン、タブレットＰＣ等への後付け用指紋汚れ防止フィルムとして好適である。【００３２】  また、本発明の指紋汚れ防止フィルムによれば、前記細線は、光透過性樹脂フィルムの表面へ、該樹脂フィルムと一体成型するものとしたから、非常に安価な指紋汚れ防止フィルムを提供することができる。
【図面の簡単な説明】
【００３３】
【図１】  本発明の実施形態に係る、タッチパネル汚れ防止構造における細線の配置例を表した図である
【図２】  本発明の実施形態に係る、ドットマトリックス表示装置の構造を説明する図である。
【図３】  本発明の実施形態に係る、タッチパネル汚れ防止構造における細線の配置例を表した図である
【図４】  本発明の実施形態に係る、タッチパネル汚れ防止構造における細線の配置例を表した図である
【図５】  本発明の実施形態に係る、タッチパネル汚れ防止構造における細線の配置例を表した図である。
【図６】  干渉縞を説明する図である。
【図７】  ドットマトリックス液晶表示画面へ直交メッシュ細線を貼った場合の干渉縞を示す写真画像である。
【図８】  ドットマトリックス表示装置と、直交メッシュ細線との組み合わせで干渉縞を生じる理由を説明した図である。
【図９】  本発明の実施形態に係る、タッチパネル汚れ防止構造におけるタッチパネルと細線の配置断面を表す図である。
【図１０】  本発明の実施形態に係る、タッチパネル汚れ防止構造における覗き見防止機能を説明する図である。
【図１１】  粘着剤付き光透過性フィルムへ本発明のタッチパネル汚れ防止構造を具備した指紋汚れ防止フィルムを説明する図である。
【図１２】  光透過性樹脂フィルムと一体成型した細線を具備したタッチパネルの指紋汚れ防止フィルムを説明する図である。
【発明を実施するための形態】
【００３４】  以下、添付図面を参照して、本発明の好適な実施形態について説明する。
図１は本発明の実施形態に係る、タッチパネル汚れ防止構造であり、１は公知の液晶表示装置１ａの表面へ光透過性材料よりなるタッチパネル１ｂを貼り付けた状態（以下、表示装置１と略す）を表しており、１０は該液晶表示装置を構成する表示画素の最小単位であるドットをマトリックス状の破線で囲んで図示している。また、２０は前記タッチパネル１ｂの表面へ印刷形成された、例えばガラス粉などを液状の有機バインダーに混練した厚膜ペーストの細線である。尚、印刷形成の方法はこれに限らず様々な印刷方法を適用して良い。
【００３５】  前記細線２０の配置は、２０ａ及び２０ｂに示す如く曲線と直線とをランダムに組み合わせた形状としてある。
【００３６】  ところで図８に示すが如く表示装置１は、ドットマトリックス方式の該表示装置１を構成するドット１０が規則正しく、即ち該表示装置１の表面上へ位置周期性を持って配置されている。これに対して、細線２０ｄ又は細線２０ｅを前記ドットの配列と同様に規則正しく、かつ前記ドット１０の配列ピッチに対して少し誤差のあるピッチにて配置された直交細線によって形成すると、図８の黒い部分３０は前記ドット１０と前記細線２０ｄ又は２０ｅとが完全に重なる部分となり、その他の部分においては不完全な重なり状態となる。
【００３７】  この場合に、図８の３０で示した部分が前記表示装置１の可視面上において位置周期的に暗い部分となって干渉縞となるのである。
【００３８】  一方、前記ドット１０の配列に対して、前記細線２０ｄ及び２０ｅの配置を、図示しない４５度方向へ偏角を持って配置した場合には、前記干渉縞は図８に示すような線状ではなく、前記表示装置１の表示画面上において図示しない斑点の如き模様として発生する。
【００３９】  ところが、図１の本発明の実施形態によると、細線２０の形状を曲線又は折れ線の組み合わせとしたから、該細線２０の配置に関して、表示装置１の面方向における配置位置の周期性を持たない。従って、ドット１０と細線２０との間で配置位置周期の差に起因する干渉縞を発生することがないから、表示装置１の表示画面品質が良い。
さらに、前記ドット１０の配列に対して前記細線２０の装着方向を変化させても、言い換えれば該細線２０を表示装置１と別部材上に形成して貼り付ける場合であっても、該貼り付け位置がずれることによる干渉縞が発生する可能性を無くすことができる。
【００４０】  次に図１において、細線２０を遮光性とした場合には表示装置１の表示画面を遮光することになるから、該表示画面の輝度低下を招くことがある。そこで、発明者による実験の結果、本発明のタッチパネル汚れ防止構造は、前記細線２０が遮光する面積を前記表示装置１の表示画面面積に対して４０％、即ち所謂開口率を６０％とすることで、前記輝度低下が許容レベルであることが判った。これは、例えば２０ｕｍ幅を持つ複数の遮光性細線を１００ｕｍの間隔を隔てて配置するに等しい開口率を意味する。従って、かかる開口率を６０％以上として表示装置１の発光輝度を維持することが望ましい。
【００４１】  また公知の前記ドットマトリックス方式の表示装置は、一般的にカラー表示を目的としているから、該表示装置の構造は図２の破線円部１１に示す如く、マトリックス配置された、サイズＷ×Ｈの正方形ドット１０を３分割した１０１、１０２と１０３の領域にカラーフィルターＲ（赤）・Ｇ（緑）・Ｂ（青）を設け、該分割領域１０１〜１０３が独立して点灯と消灯とが制御できるようになっている。
【００４２】  従って、前記分割領域１０１〜１０３の幅寸法は前記ドット１０の幅寸法の１／３である。しかるに、本発明のタッチパネル汚れ防止構造における細線２０は前記分割された各画素の発光を可能な限り妨げない必要があるから、該細線２０の幅寸法は図２に示すように、例えば前記分割領域１０１の寸法未満としてある。即ち、該細線２０の表示装置１の表示面方向の幅寸法はドット１０を構成する幅寸法Ｗの１／３未満であることが望ましい。
【００４３】  尚、近年液晶表示装置の発光輝度を向上するために、前記Ｒ・Ｇ・Ｂの分割領域に加えてＷ（白）の発光領域を備え、合計４つに細分化された前記ドット１０の構成をとる場合がある。この場合には、前記細線２０の幅寸法はドット１０の幅寸法Ｗの１／４以下であることが望ましいことは言うまでも無い。
【００４４】  次に、本発明のタッチパネル汚れ防止構造における前記細線２０の配置形状は図３、図４、図５に示す如き幾何学模様であっても良い。この場合、例えば図４の配置によると前記ドット１０と前記細線２０とが完全に重なる部分が黒色部３０として周期的に発生することになる。しかしながら、該重なり部３０の状態は図４に見られるように連続した直線とはならない。これは、図８の例と比較して縞模様の原因となる遮光部の面積が格段に小さいことを意味しており、従って図３〜図５の実施例では視認可能な干渉縞の程度を非常に小さくすることができる。
【００４５】  また、本発明のタッチパネル汚れ防止構造における前記細線２０は金属材料であっても良い。金属材料は一般的に高い強度を具備することから、前記タッチパネルの操作面へ配置した細線２０が、操作指等で擦れることによる断線・剥離・摩耗等の劣化耐性を高くすることができる。この場合、金属材料による該細線は一般的に、公知のスパッタリングやメッキ、蒸着、薄膜接着等に加えてエッチング処理を行うことで形成可能であることは言うまでもない。
【００４６】  図９（ａ）は、本発明のタッチパネル汚れ防止構造における前記タッチパネルの、例えば透明ガラスより成る基材５０と該基材５０の裏面へ配設した前記Ｘ−Ｙ電極５１と前記細線２０の配置断面図を表している。このように、基材５０の表面へ細線２０を配設することによって、前記Ｘ−Ｙ電極５１と操作指３とが成すギャップはＤ０となるから、基材５０だけの場合と比べて、操作指３とＸ−Ｙ電極５１とが形成する静電容量の値が小さくなって、該操作指３の検出感度が低下する。
【００４７】  これに対して、前記細線２０を電気導電性の金属材料によって構成した場合には、指先３の電位は基材５０の表面電位と等しくなるから、等価的に前記ギャップは図９（ｂ）に示す如くＤ１となり、前記基材５０の厚みと同じにすることができるから、前記検出感度の低下が起こらない。
【００４８】  ところが、前記細線２０が電気導電性であるということは、図９（ａ）の左右方向のどの部位を触っても、該細線２０と前記Ｘ−Ｙ電極５１とが成す静電容量の値が変化しないから、操作指３の位置を判定することができないといった問題が発生する。
【００４９】  そこで、本発明のタッチパネル汚れ防止構造に用いる前記金属材料から成る細線は、図９（ｂ）に示す如く、前記Ｘ−Ｙ電極５１の配置間隔よりも小さい所定のピッチＰにて該金属材料から成る細線２０を部分的にエッチング除去するものとした。このように、前記金属材料による細線２０を部分的にエッチング除去した破線形状とすることによって、操作指３の電位は基材５０の表面電位と等しくすることができるとともに、操作指３が触れていない部分では該操作指３とＸ−Ｙ電極５１との間の静電容量を無くすことが可能であるから、前記検出感度の低下を伴うことなく操作指３の位置を正しく検出することができる。
【００５０】  また、本発明のタッチパネル汚れ防止構造における前記細線は極細繊維材料であっても良い。この種の極細繊維材料はマイクロファイバーやマイクロメッシュとして多くの市場で採用されていることから低コストのタッチパネル汚れ防止構造を実現可能となる。
【００５１】  尚、前記金属材料から成る細線による実施形態においては、該細線を部分的に除去して破線形状とするものとしたが、本実施の形態による極細繊維材料の細線の場合には、該繊維材料の表面へ部分的に導電性の金属メッキを施しても、前記と同様に検出感度の低下防止と、操作指位置の誤検出の問題が無くなることは容易に想到可能な事象である。
【００５２】  ところで、本発明のタッチパネル汚れ防止構造によると、タッチパネル表面へ配設した細線２０が外光を反射して前記表示装置１の視認性が悪化する可能性がある。そこで、最良の実施形態として、該細線２０を略黒色として外光の反射を防止するか、或いは該細線２０は略透明とした上で、該細線２０の表面へ公知のアンチグレア処理を施すことが望ましい。これによって、前記細線２０が外光を反射することが無いので、前記表示装置１の視認性が悪化することが無い。
【００５３】  次に、本発明のタッチパネル汚れ防止構造によると、前記細線２０の前記表示装置１におけるタッチパネル１ｂの表面上の高さを調整することによって、該表示装置１の所謂視野角を調整することができる。つまり、図１０に示す如くタッチパネル１ｂの表面へ形成せしめた細線２０の高さと、該細線２０の配置間隔とによって前記視野角はθに制限される。これによって、表示装置１の可視範囲が狭くなり操作者以外から見た場合には、表示装置１の表示画像を目視することができないので、覗き見防止効果を奏することができる。
【００５４】  図１１は、本発明のタッチパネル汚れ防止構造を具備してなる、タッチパネルの指紋汚れ防止フィルム１００の実施形態を示している。１１１は例えばＰＥＴフィルム等からなる光透過性の樹脂フィルムであり、該フィルム１１１の操作面側へ細線２０が形成してある。また、該フィルム１１１の裏面側へ、例えばシリコン樹脂から成る剥離可能な粘着剤１１２が配設してある。この指紋汚れ防止フィルム１００は、既存のスマートフォン等の液晶表示画面へ後付けとして貼付することによって、該液晶表示画面への指紋付着を低減するものである。
【００５５】  図１２は、前記光透過性の樹脂フィルム１１１と前記細線２０とを一体的に形成した指紋汚れ防止フィルム１００の断面形状を示している。この実施形態における細線２０はフィルム１１１の成形時に同時に加圧成形するものとし、他の実施の形態の如き前記細線２０を形成する為の特別の工程を要しないから、非常に低価格で指紋汚れ防止フィルムを提供することができる。
【産業上の利用可能性】
【００５６】  本発明のタッチパネル汚れ防止構造は、タッチセンサー機能の有無に関わらず、操作指を介した指紋、皮脂、又はそれらに類似した汚れが、液晶、又はそれに類似したドットマトリックス方式の表示装置表面へ付着するのを防止する目的に対して有効であり、かかる指紋汚れ防止フィルムを低コストで供給可能とするものである。【００５７】  さらに、本発明のタッチパネル汚れ付着防止構造は、表示装置を具備したタッチパネルに限ることなく、例えばガラス製のショーケースや、メッキ材による室内装飾部位、或いは自動車の室内装飾部位等において人体が触れることによって発生する指紋汚れを防止する点で有用な技術である。
【符号の説明】
【００５８】１：表示装置、１ａ：液晶表示装置、１ｂ：タッチパネル、３：操作指、１０：ドット、２０：細線、１０１〜１０３：分割領域、３０：暗部、５０：基材、５１：Ｘ−Ｙ電極  １１１：光透過性フィルム、１１２：粘着材
【図１】
2015022744.tif 000003
【図２】
2015022744.tif 000004
【図３】
2015022744.tif 000005
【図４】
2015022744.tif 000006
【図５】
2015022744.tif 000007
【図６】
2015022744.tif 000008
【図７】
2015022744.tif 000009
【図８】
2015022744.tif 000010
【図９】
2015022744.tif 000011
【図１０】
2015022744.tif 000012
【図１１】
2015022744.tif 000013
【図１２】
2015022744.tif 000014